(57)【要約】【課題】  遊技盤（パネル）交換時に、全入賞検出手段の接続が不要となり、接続の手間が省けて接続忘れや誤り接続を防止できるパチンコ遊技機を提供する。【解決手段】  各入賞口に入球した全ての球を総括して１球毎に検出する全入賞検出手段１５を遊技機枠に配設し、全入賞検出手段を払出制御装置５のみに配線接続する。各入賞検出手段で検出された球数と、全入賞検出手段で検出された球数とを比較して入賞球数の正常／異常の判定を行う入賞球数正常／異常判定手段を払出制御装置５に設ける。【選択図】図２
2005080926.tif 000002
【特許請求の範囲】
【請求項１】
遊技機枠に対して遊技盤が装着されてなり、前記遊技盤に配設されたメイン制御装置と、前記遊技機枠に配設された払出制御装置とを有し、前記メイン制御装置が前記遊技盤に配設された各入賞口に打球が入球することを検出する各入賞検出手段による入賞検出に応じて遊技制御を行うものである一方、前記払出制御装置が前記各入賞検出手段による入賞検出に対応する予め定めた数の賞球を払い出す制御を行うものであり、前記各入賞口に入球した全ての球を総括して１球毎に検出する全入賞検出手段を有し、前記各入賞検出手段で検出された球数と、前記全入賞検出手段で検出された球数とを比較して入賞球数の正常／異常の判定を行う入賞球数正常／異常判定手段と、前記入賞球数正常／異常判定手段によって異常と判定された場合に、異常発生として報知する報知手段とを備えたパチンコ遊技機において、
前記全入賞検出手段を前記遊技機枠に配設し、前記全入賞検出手段を前記払出制御装置のみに配線接続し、前記入賞球数正常／異常判定手段を前記払出制御装置に設けたことを特徴とするパチンコ遊技機。
【発明の詳細な説明】
【技術分野】
【０００１】
本発明は、遊技機枠に対して遊技盤が装着されてなり、遊技盤に配設されたメイン制御装置と、遊技機枠に配設された払出制御装置とを有し、メイン制御装置が遊技盤に配設された各入賞口に打球が入球することを検出する各入賞検出手段による入賞検出に応じて遊技制御を行うものである一方、払出制御装置が各入賞検出手段による入賞検出に対応する予め定めた数の賞球を払い出す制御を行うものであり、各入賞口に入球した全ての球を総括して１球毎に検出する全入賞検出手段を有し、各入賞検出手段で検出された球数と、全入賞検出手段で検出された球数とを比較して入賞球数の正常／異常の判定を行う入賞球数正常／異常判定手段と、入賞球数正常／異常判定手段によって異常と判定された場合に、異常発生として報知する報知手段とを備えたパチンコ遊技機に関するものである。
【背景技術】
【０００２】
遊技機枠に対して遊技盤が装着されてなり、前記遊技盤に配設されたメイン制御装置と、遊技機枠に配設された払出制御装置とを有し、メイン制御装置が遊技盤に配設された各入賞口（例えば、始動口、大入賞口、普通入賞口等）に打球が入球することを検出する各入賞検出手段による入賞検出に応じて遊技制御を行うものである一方、払出制御装置が各入賞検出手段による入賞検出に対応する予め定めた数の賞球を払い出す制御を行うものであり、各入賞口に入球した全ての球を総括して１球毎に検出する全入賞検出手段を有し、各入賞検出手段で検出された球数と、全入賞検出手段で検出された球数とを比較して入賞球数の正常／異常の判定を行う入賞球数正常／異常判定手段と、入賞球数正常／異常判定手段によって異常と判定された場合に、異常発生として報知する報知手段とを備えたパチンコ遊技機が提案されている（例えば、特許文献１）。
【０００３】
また、賞球の払出制御を行う賞球制御部が、各入賞検出手段で検出された球数と、全入賞検出手段で検出された球数とを比較して入賞球数の正常／異常の判定を行う入賞球数正常／異常判定手段を備え、入賞球数正常／異常判定手段によって異常と判定された場合に、異常発生として報知する報知手段とを備えたパチンコ遊技機が提案されている（例えば、特許文献２）。
【０００４】
上述の従来のパチンコ遊技機は、磁石や発信器等による各入賞検出手段への不正行為による不正払出の防止を目的と図るものである。上記特許文献１に記載されたパチンコ遊技機では、各入賞検出手段で検出された球数と、全入賞検出手段で検出された球数とを比較して入賞球数の正常／異常の判定を行う入賞球数正常／異常判定手段はメイン制御装置に設けられている。このため、遊技盤（パネル）交換時に、全入賞検出手段（全入賞検出スイッチ或いは全入賞検出センサ）をコネクタ接続する手間がかかり誤り配線や配線接続のやり忘れの虞がある。また、新規に交換するメイン制御装置にも入賞球数正常／異常判定手段が実装されていなければならないため、メイン制御装置のプログラム記憶領域に余裕が持てない。
【０００５】
上記特許文献２に記載されたパチンコ遊技機では、各入賞検出手段が賞球の払出制御を行う賞球制御部に直接接続されている構造を取っているため、遊技盤（パネル）交換時に、各入賞検出手段を賞球制御部にコネクタ接続する手間がかかり誤り配線や配線接続のやり忘れの虞がある。例えば、入賞口を多数設けてある遊技盤に交換する場合は、各入賞検出手段のコネクタの個数も多いため、コネクタ接続作業には多大な労力を要する。
【０００６】
【特許文献１】特開平１１−３３３０９７号公報
【特許文献２】特許掲載公報第３１７０６４０号
【発明の開示】
【発明が解決しようとする課題】
【０００７】
本発明の目的は、入賞検出手段への不正行為による不正払出の防止を目的とする上、遊技盤（パネル）交換時に、全入賞検出手段の接続が不要となり、接続の手間が省けて接続忘れや誤り接続を防止でき、メイン制御装置のプログラム記憶領域に余裕を作れ、製造コストを低減できるパチンコ遊技機を提供することにある。
【課題を解決するための手段】
【０００８】
請求項１に記載のパチンコ遊技機は、遊技機枠に対して遊技盤が装着されてなり、前記遊技盤に配設されたメイン制御装置と、前記遊技機枠に配設された払出制御装置とを有し、前記メイン制御装置が前記遊技盤に配設された各入賞口に打球が入球することを検出する各入賞検出手段による入賞検出に応じて遊技制御を行うものである一方、前記払出制御装置が前記各入賞検出手段による入賞検出に対応する予め定めた数の賞球を払い出す制御を行うものであり、前記各入賞口に入球した全ての球を総括して１球毎に検出する全入賞検出手段を有し、前記各入賞検出手段で検出された球数と、前記全入賞検出手段で検出された球数とを比較して入賞球数の正常／異常の判定を行う入賞球数正常／異常判定手段と、前記入賞球数正常／異常判定手段によって異常と判定された場合に、異常発生として報知する報知手段とを備えたものであって、上記課題を解決するために、前記全入賞検出手段を前記遊技機枠に配設し、前記全入賞検出手段を前記払出制御装置のみに配線接続し、前記入賞球数正常／異常判定手段を前記払出制御装置に設けたことを特徴とする。なお、本発明において「遊技盤に配設されたメイン制御装置」とは、遊技盤交換時にメイン制御装置を遊技機枠に取り付ける場合のものも含む。
【０００９】
請求項１に記載の構成において、次の構成を採用することがある。前記メイン制御装置と前記払出制御装置とを双方向通信可能に接続し、前記メイン制御装置から定めた個数の賞球を払い出すための賞球コマンドを前記払出制御装置に送信し、前記払出制御装置が前記賞球コマンドに応じた個数の賞球を払い出す払出制御を行う一方、前記払出制御装置が、前記入賞球数正常／異常判定手段によって異常と判定した場合に、異常コマンドを前記メイン制御装置に送信し、前記メイン制御装置が、前記異常コマンドに応じて報知手段を通じて異常発生を報知する構成とする。
【発明の効果】
【００１０】
請求項１に記載の構成によれば、全入賞検出手段を遊技機枠に配設し、全入賞検出手段を払出制御装置のみに配線接続し、入賞球数正常／異常判定手段を払出制御装置に設けたので、全入賞検出手段及び入賞球数正常／異常判定手段を遊技盤の種別に関係ない枠側の設備とすることができ、この結果、遊技盤（パネル）交換時に、全入賞検出手段の接続が不要となり、接続の手間が省けて接続忘れや誤り接続を防止できる。
【発明を実施するための最良の形態】
【００１１】
以下、本発明の実施の形態を図面を参照して説明する。図１は、本実施形態のパチンコ遊技機に配備された制御系統の要部ブロック図である。電源装置１は、ＡＣ２４Ｖから、メイン制御装置２、サブ制御装置３、表示制御装置４、払出制御装置５、発射制御装置６、液晶表示装置７の他、払出モータ８、発射モータ９、大入賞口ソレノイド１０、ランプ１１、スピーカ１２等の作動電源を生成して供給するものである。
【００１２】
本実施形態のパチンコ遊技機には、パチンコ遊技の総括的な制御を行うメイン制御装置２と、メイン制御装置２から送信されたコマンドに基いて、ランプ（装飾ランプ、装飾ＬＥＤ、表示ランプ、表示ＬＥＤ等）１１の点灯、点滅等の表示制御及びスピーカ１２から音を出す音声制御を実行するサブ制御装置３と、メイン制御装置２からサブ制御装置３を経由して送信されたコマンドを受けて液晶表示装置７に図柄及び各種の遊技情報の表示や大当り遊技中の演出表示を行う表示制御装置４と、メイン制御装置２から送信された情報（賞球コマンド）に基いて払出モータ８を駆動することで賞球の払出制御を行う払出制御装置５と、タッチセンサ１３の検出信号を条件として、図示しない遊技盤面に向けて遊技球を発射する打球発射装置（図示せず）の発射モータ９の動作制御を行う発射制御装置６とが配備される。
【００１３】
メイン制御装置２は、パチンコ遊技に関わる総括的な制御を行うための処理実行手段としてのメインＣＰＵと、メインＣＰＵが実行するためのパチンコ遊技全体に関わる遊技制御プログラムや遊技制御プログラムの実行に必要となる予め定めた設定データが格納されているＲＯＭと、随時読み出しおよび書き込みが可能なＲＡＭと、各入賞検出手段１４から送られた検出信号を受け付けてメインＣＰＵに入力可能とする一方、メインＣＰＵから外部装置に対して制御出力を可能とするための入出力インタフェースと、メインＣＰＵが周辺機器との間でデータ通信を行うための通信インタフェース等を含んで構成されている。なお、メイン制御装置２の具体的な構成については図示を省略する。
【００１４】
前記各入賞検出手段１４としては、例えば、図示しない遊技盤面に設けられた始動口（図柄始動口）へ入賞した遊技球を検出する始動口入賞検出スイッチ（始動口センサともいう）１４ａ、前記遊技盤面に設定されたゲート（図示せず）への遊技球の通過を検出するゲートセンサ、遊技盤面に設けられた大入賞口に入賞した遊技球を検出する大入賞口センサ（図示せず）１４ｂ、前記大入賞口内に設けられた特定領域へ入賞した遊技球を検出する特定領域センサ、遊技盤面に設けられた普通入賞口に入賞した遊技球を検出する普通入賞口センサ（図示せず）１４ｃ等がある。また、前記外部装置としては、前記大入賞口を開放させるための大入賞口ソレノイド１０等がある。
【００１５】
メイン制御装置２とサブ制御装置３とは、メイン制御装置２からサブ制御装置３への一方向通信のみ可能に接続されている。サブ制御装置３は、ランプの点灯／点滅等の制御、音声制御、メイン制御装置２から送信されるコマンド受信及び表示制御装置４に対するコマンド送信を行うための処理実行手段としてのサブＣＰＵと、サブＣＰＵが実行するためのランプ点灯／点滅に関わる制御プログラム、音声発生に関わる制御プログラム、コマンド受信に関わる制御プログラム及びコマンド送信に関わる制御プログラム、これらの各種制御プログラムの実行に必要となる予め定めた設定データ（ランプの点灯パターン等や音データ）が格納されているＲＯＭと、随時読み出しおよび書き込みが可能なＲＡＭと、サブＣＰＵからの制御出力を可能とするための出力インタフェースと、サブＣＰＵがメイン制御装置２及び表示制御装置４との間でデータ通信を行うための通信インタフェース等を含んで構成されている。なお、サブ制御装置３の具体的な構成については図示を省略する。
【００１６】
サブ制御装置３にはランプ１１やスピーカ１２が接続されている。サブ制御装置３はメイン制御装置２から送信されるコマンド指令に従ってランプ１１を点灯駆動すると共にスピーカ１２より効果音や警報を発生する。また、サブ制御装置３は、メイン制御装置２から送信されたコマンドを受信すると、このコマンドを記憶すると共に表示制御装置４に送信する。
【００１７】
表示制御装置４は、サブ制御装置３から送信されたコマンドに応じて液晶表示装置７の表示画面に、特別図柄（この実施形態では、左特別図柄、中特別図柄、右特別図柄の３種類とする）、装飾図柄、静止画や動画（キャラクタ等）、遊技進行に伴って変化する遊技情報（例えば、始動入賞に関わる保留状態や大当り遊技中のラウンド数等）、大当り遊技中の演出表示を各々表示制御するものである。
【００１８】
払出制御装置５は、主として賞球の払出制御、メイン制御装置２から送信されるコマンドの受信、メイン制御装置２に対してＡＣＫ信号（承認信号）の送信、発射制御装置６に対する発射モータ９の停止指令の出力、発射制御装置６に対する発射モータ９の停止解除指令の出力、入賞球数の異常検知、メイン制御装置２に対する入賞球数の異常情報の送信を行う。払出制御装置５は、これらの制御動作を行うための処理実行手段としての払出ＣＰＵと、払出ＣＰＵが実行するための各種制御プログラムが格納されているＲＯＭと、随時読み出しおよび書き込みが可能なＲＡＭと、払出ＣＰＵからの制御出力を可能とするための出力インタフェースと、払出ＣＰＵがメイン制御装置２との間でデータ通信を行うための通信インタフェース等を含んで構成されている。なお、払出制御装置５の具体的な構成については図示を省略する。なお、発射制御装置６については周知であって、本発明の要旨とは直接に関連しないため、具体的な構成の図示や説明等を省略する。
【００１９】
図２は、メイン制御装置２と払出制御装置５とのデータ通信に関わる制御系統の要部ブロック図である。メイン制御装置２と払出制御装置５とは、パラレル（８ビット）／シリアル変換用ゲートアレイ１７並びにシリアル／パラレル（８ビット）変換用ゲートアレイ１８と、パラレル（８ビット）／シリアル変換用ゲートアレイ１９並びにシリアル／パラレル（８ビット）変換用ゲートアレイ２０とにより、双方向シリアル通信可能に接続されている。なお、メイン制御装置２から払出制御装置５へは１６ビットで構成された賞球コマンド（賞球数１個〜１５個までの１５種類ある）が送信される。また、メイン制御装置２から払出制御装置５へは、メイン制御装置２が払出制御装置５から送られたコマンドを受け取ったことを示すＡＣＫ信号を払出制御装置５に送信するためのＡＣＫ信号線（１ビット）で接続される。また、払出制御装置５からメイン制御装置２へは、８ビットで構成された異常コマンド（入賞球数に関する異常）が送信される。さらに、払出制御装置５からメイン制御装置２へは、払出制御装置５がメイン制御装置２から送られたコマンドを受け取ったことを示すＡＣＫ信号をメイン制御装置２に送信するためのＡＣＫ信号線（１ビット）で接続される。なお、ＡＣＫ信号線は、特別に設けなくてもよく、この場合、ＡＣＫコマンドを返信するように構成してもよい。
【００２０】
メイン制御装置２には遊技盤に設けられた各入賞検出手段１４が接続されている。払出制御装置５には、前記各入賞口に入球した全ての球を総括して１球毎に検出する全入賞検出器１５が接続されており、全入賞検出器１５による球の検出信号が払出制御装置５に入力されるように構成されている。なお、全入賞検出器１５は、払出制御装置５のみに配線接続されており、メイン制御装置２には配線接続されていない。また、全入賞検出器１５は、遊技盤交換（パネル交換）の際に交換対象とならない遊技機枠（図示せず）に配設される。なお、全入賞検出器１５の配設箇所は、例えば、各入賞検出手段１４で検出された入賞検出済みの球を集めるために遊技盤裏面に対して配設された図示しない集合樋の下部に配設される。
【００２１】
以上のように構成された実施形態のパチンコ遊技機における払出制御装置５のＣＰＵ（以下、払出ＣＰＵという）が行う入賞球数の異常検知処理について説明する。この実施形態のパチンコ遊技機では、各入賞口に入球した球が各入賞検出手段１４に入賞検出される毎にメイン制御装置２から送信される賞球コマンドを受信する毎に１を加算し、全入賞検出器１５が入賞検出済となった球を検出する毎に１を減算するカウンタ（入賞球数カウンタ）が払出制御装置５に設けられている。また、入賞球数カウンタのカウント値が異常であるか否かを検知するために比較されるしきい値がメイン制御装置２から払出制御装置５に電源投入時に送信される。払出制御装置５は、電源投入時に上記しきい値を受け取って記憶する。そして、通常の処理ルーチンにおいて、入賞球数カウンタのカウント値としきい値とを比較し、入賞球数カウンタのカウント値がしきい値以上である場合に、入賞球数の異常であると判断する。
【００２２】
なお、上記しきい値を電源投入時にメイン制御装置２から払出制御装置５に設定するように構成した理由は、パネルの種類（遊技機種）によって遊技盤に設けられている入賞口の数が異なるためである。例えば、遊技盤面に１つの図柄始動口と大当り遊技時にのみ開放される１つの大入賞口の２つだけ設けられているものと、普通入賞口が５つ、図柄始動口が１つ、大当り遊技時にのみ開放される１つの大入賞口が設けられているものとでは、単位時間当りに発生する入賞球の数は後者の遊技盤の方が多くなる可能性がある。各入賞口への入賞球検出は各入賞口の近傍に配設された各入賞検出手段１４で行われ、入賞検出済の球の検出は集合樋の下部に配設された全入賞検出器１５で行われるが、これらの間を入賞球が流下移動することによる時間差が原因となって、各入賞検出手段１４が検出する毎に（賞球コマンドを受ける毎に）＋１されるタイミングと全入賞検出器１５が検出する毎に−１されるタイミングに差を生じることから、パネルの種類によって入賞球数カウンタのカウント値の振れ幅が変わる。本発明は、パネル交換した場合にも入賞球数の異常を誤りなく正しく検知できるように対応するものである。なお、大入賞口の閉鎖期間中と開放期間中（大当り遊技中）とでも開放期間中の方が単位時間当りに発生する入賞球の数が多くなる可能性がある。このような場合には、例えば、大当り遊技開放時にしきい値を変更するようにしてもよい。
【００２３】
図３は、払出ＣＰＵが、電源投入時に実行する初期設定の一部の処理として行うしきい値設定処理のサブルーチンを示すフローチャートである。払出ＣＰＵは、しきい値設定処理を開始すると、メイン制御装置２からしきい値コマンドが送信されているか否かを判別する（ステップＡ０１）。払出ＣＰＵは、しきい値コマンドが送信されていなければ、ステップＡ０１を繰り返し行ってしきい値コマンドが送信されてくるまで待機する。メイン制御装置２からしきい値コマンドが送信されてくると、払出ＣＰＵは、しきい値コマンドを受信バッファに受信し（ステップＡ０２）、受信したしきい値（例えば、１０とか２０とか３０とかの数値）をＲＡＭに確保したしきい値設定エリアＡに記憶し（ステップＡ０３）、しきい値設定処理を抜ける。払出ＣＰＵは、初期設定を終えると通常処理ルーチンに移行する。なお、通常処理ルーチンは、例えば、１ｍｓ毎に発生するタイマ割込毎に実行される。
【００２４】
遊技中に、打球が遊技盤面の始動口に入賞した場合には始動口センサ１４ａにより検出され、打球が遊技盤面の大入賞口に入賞した場合には大入賞口センサ１４ｂにより検出され、打球が遊技盤面の普通入賞口に入賞した場合には普通入賞口センサ１４ｃにより検出され、これらのセンサの検出信号はメイン制御装置２に入力される。メイン制御装置２は、これらの検出信号に応じた賞球数（例えば、始動口センサ１４ａによる検出信号であれば４個、大入賞口センサ１４ｂによる検出信号であれば１５個、普通入賞口センサ１４ｃによる検出信号であれば６個）を払い出すための賞球コマンドを払出制御装置５に送信する。
【００２５】
払出ＣＰＵは、通常処理ルーチンで行うコマンド受信処理にて、メイン制御装置２から送信された賞球コマンドを受信バッファに受信する。払出ＣＰＵは、受信バッファにコマンドを受信した場合、コマンド解析処理を実行する。図４は、払出ＣＰＵが実行するコマンド解析処理のサブルーチンを示すフローチャートである。払出ＣＰＵは、コマンド解析処理を開始すると、受信バッファに受信したコマンドが賞球コマンドであるか否かを判別する（ステップＡ１０）。払出ＣＰＵは、受信バッファに受信したコマンドが賞球コマンドでなければ、ステップＡ１０を偽と判別し、コマンド解析処理を抜ける。
【００２６】
払出ＣＰＵは、受信バッファに受信したコマンドが賞球コマンドであれば、ステップＡ１０を真と判別し、賞球コマンドの内容（１個〜１５個までの１５種類）に応じた払出数を払出数記憶エリアに記憶する（ステップＡ１１）。なお、賞球の払い出しについては、通常処理ルーチンにおける後続の賞球払出制御処理（図示せず）で払出中でないときに、記憶保持されている払出数の払出が開始される。次に、払出ＣＰＵは、賞球コマンドを受信したことに対応して入賞球数カウンタの値を＋１し（ステップＡ１２）、メイン制御装置２に対してＡＣＫ信号（承認信号）を出力し（ステップＡ１３）、コマンド解析処理を抜ける。
【００２７】
払出ＣＰＵは、コマンド解析処理を抜けると、入賞球数チェック処理を実行する。図５は、払出ＣＰＵが実行する入賞球数チェック処理のサブルーチンを示すフローチャートである。払出ＣＰＵは、入賞球数チェック処理を開始すると、まず、全入賞検出器１５による球の検出があるか否かを判別する（ステップＡ２０）。各入賞検出手段１４によって入賞検出された入賞球（入賞検出済の球）は、誘導樋を通じて集合樋に入り、集合樋の下部にて全入賞検出器１５で検出される。払出ＣＰＵは、全入賞検出器１５による球の検出があると、ステップＡ２０を真と判別し、入賞球数カウンタの値を−１し（ステップＡ２１）、ステップＡ２２に進む。一方、払出ＣＰＵは、全入賞検出器１５による球の検出がないと、ステップＡ２０を偽と判別し、直接ステップＡ２２に進む。
【００２８】
なお、各入賞検出手段１４が正常に動作し、全入賞検出器１５が正常に動作している場合、ステップＡ２１を行った時点で、入賞球数カウンタの値は０又は０に近い正の整数となる。
【００２９】
一方、各入賞検出手段１４のうちのいずれか１つでも誤動作している場合、例えば、磁石や発信器等の不正器具による不正行為や入賞検出器の不正改造等により、入賞球が通過していないにもかかわらず入賞を検出した状態となっている場合には、全入賞検出器１５による球の検出がないので、入賞球数カウンタのカウント値はプラスの値となる。また、各入賞検出手段１４のうちのいずれか１つが、例えば、入賞検出器の故障等により、入賞球が通過しているにもかかわらず入賞を検出できない状態となっている場合には、全入賞検出器１５による球の検出はあるので、入賞球数カウンタのカウント値はマイナスの値となる。
【００３０】
ステップＡ２２に進むと、払出ＣＰＵは、入賞球数カウンタのカウント値の絶対値をとり（ステップＡ２２）、次いで、この値がしきい値設定エリアＡに記憶されているしきい値（以下、しきい値Ａという）以上であるか否かを判別する（ステップＡ２３）。払出ＣＰＵは、入賞球数カウンタのカウント値の絶対値がしきい値Ａ以上でなければ、正常動作であると判別し、即ち、ステップＡ２３を偽と判別し、入賞球数チェック処理を抜ける。
【００３１】
一方、入賞球数カウンタのカウント値の絶対値がしきい値Ａ以上である場合には、払出ＣＰＵは、異常動作であると判別する。すなわち、払出ＣＰＵは、ステップＡ２３を真と判別し、メイン制御装置２に異常コマンドを送信し（ステップＡ２４）、ステップＡ２５へ進み、入賞球数カウンタの値を０クリアし（ステップＡ２５）、監視タイマをセットし（ステップＡ２６）、メイン制御装置２からＡＣＫ信号が送られてきたか否かを判別する（ステップＡ２７）。
【００３２】
払出制御装置５からメイン制御装置２に異常コマンドが送信された場合、メイン制御装置２は異常コマンドを受信すると、サブ制御装置３に異常報知コマンド（入賞球数異常報知コマンド）を送信し、払出制御装置５にＡＣＫ信号を返信する。サブ制御装置３は、異常報知コマンドを受けると、図示しない遊技機前面に設けられたガラス枠の上部に配設された報知ＬＥＤ１６（図２参照）を点滅させる。これにより、報知ＬＥＤ１６を見た係員は、各入賞検出手段１４の入賞検出動作に異常があることを認識でき、各入賞検出手段１４に対して不正行為が行われていないか或いは各入賞検出手段１４が故障しているのかをチェックすることができる。なお、段階的に報知を切り換えるようにしてもよい。例えば、しきい値Ａに対してＡ／２（半分）を超えている間は報知ＬＥＤ１６を点灯し、Ａを超えると点滅し続ける。また、Ａ／２を超えた回数の履歴を取るようにしてもよい。Ａ／２を超えた回数が所定回数に達したら、Ａを超えたものとみなして点灯し続ける。
【００３３】
払出ＣＰＵは、メイン制御装置２からＡＣＫ信号が送られてこない場合、ステップＡ２７を偽と判別すると、監視タイマの減算を行い（ステップＡ２８）、監視タイマがアップしていなければ、ステップＡ２９を偽と判別してステップＡ２７に戻り、メイン制御装置２からＡＣＫ信号が送られてきたか否かを判別する（ステップＡ２７）。払出ＣＰＵは、メイン制御装置２からＡＣＫ信号が送られてくると、メイン制御装置２が正常に動作して異常報知をサブ制御装置３に指令したと判断し、即ち、ステップＡ２７を真と判別し、入賞球数チェック処理を抜ける。なお、払出ＣＰＵは、メイン制御装置２から送信されたＡＣＫ信号を受けると、発射制御装置６に対する発射モータ９の停止指令を出力し、入賞球数の異常検知（入賞球数の異常報知）に対応して遊技を停止するように構成してもよい。
【００３４】
一方、監視タイマがアップするまでの間に、メイン制御装置２からＡＣＫ信号が送られてこない場合、払出ＣＰＵは、ステップＡ２９を真と判別し、メイン制御装置２に再度異常コマンドを送信し（ステップＡ３０）、ステップＡ２６に戻り、監視タイマをセットし（ステップＡ２６）、メイン制御装置２からＡＣＫ信号が送られてきたか否かを判別する（ステップＡ２７）。この間、払出ＣＰＵは、繰り返し実行中であることをＬＥＤ等で報知する。なお、繰り返し回数が予め設定された所定回数に達した場合には、発射モータ９を停止するようにしてもよい。
【００３５】
以上に説明したように、各入賞検出手段１４（１４ａ〜１４ｃ）によって検出された全ての球を総括して１球毎に検出する全入賞検出器１５を遊技機枠に配設し、全入賞検出器１５を払出制御装置５のみに配線接続し、各入賞検出手段１４で検出された球数と、全入賞検出器１５で検出された球数とを比較して入賞球数の正常／異常の判定を行う入賞球数正常／異常判定手段（ステップＡ１０〜ステップＡ１３、ステップＡ２０〜ステップＡ３０）を払出制御装置５に設けたので、遊技盤（パネル）交換時に、全入賞検出器１５の接続が不要となり、接続の手間が省けて接続忘れや誤り接続を防止できる。
【００３６】
入賞球数カウンタのカウント値が異常であるか否かを検知するために比較されるしきい値を、電源投入時にメイン制御装置２から払出制御装置５にコマンド送信して設定するように構成したので、パネル交換した場合にも、交換する遊技盤にしきい値を対応させることができ、入賞球数の異常を誤りなく正しく検知できる。
【図面の簡単な説明】
【００３７】
【図１】本実施形態のパチンコ遊技機に配備された制御系統の要部ブロック図
【図２】同上の実施形態におけるメイン制御装置と払出制御装置とのデータ通信に関わる制御系統の要部ブロック図
【図３】同上の実施形態における払出制御装置の払出ＣＰＵが、電源投入時に実行する初期設定の一部の処理として行うしきい値設定処理のサブルーチンを示すフローチャート
【図４】同上の払出ＣＰＵが実行するコマンド解析処理のサブルーチンを示すフローチャート
【図５】同上の払出ＣＰＵが実行する入賞球数チェック処理のサブルーチンを示すフローチャート
【符号の説明】
【００３８】
１  電源装置
２  メイン制御装置
３  サブ制御装置
４  表示制御装置
５  払出制御装置
６  発射制御装置
７  液晶表示装置
８  払出モータ
９  発射モータ
１０  大入賞口ソレノイド
１１  ランプ
１２  スピーカ
１３  タッチセンサ
１４  各入賞検出手段
１４ａ  始動口センサ
１４ｂ  大入賞口センサ
１４ｃ  普通入賞口センサ
１５  全入賞検出器
１６  報知ＬＥＤ
１７  パラレル／シリアル変換用ゲートアレイ
１８  シリアル／パラレル変換用ゲートアレイ
１９  パラレル／シリアル変換用ゲートアレイ
２０  シリアル／パラレル変換用ゲートアレイ
【図１】
2005080926.tif 000003
【図２】
2005080926.tif 000004
【図３】
2005080926.tif 000005
【図４】
2005080926.tif 000006
【図５】
2005080926.tif 000007